(57)【要約】【課題】  記録ヘッドの高精細化、多ノズル化に合わせて記録素子列方向の基板サイズが大きくなる。このような構成で問題となる、記録ヘッド内の配線抵抗における電圧降下を抑えるための最適な記録ヘッド構成を提案する。【解決手段】  記録ヘッド用基板における、記録素子列中央に対応する位置付近に、少なくとも１箇所共通電極に対応するボンディング端子を設置する。この端子に接続する接続基板はＴＡＢ方式等でこの端子にボンディングすることで、ローコストかつ高精細記録ヘッドを構成できる。【選択図】  図１
2007301937.tif 000002
【特許請求の範囲】
【請求項１】
複数の記録要素を同一基板上に有し、選択的に駆動可能な複数の記録要素に記録電流を通電することが可能な機能素子を具備する構成の記録ヘッド用基板であって、
前記基板の記録素子の配列される方向に相当する側(長辺)とそうでない側(短辺)を有し、
前記基板の短辺側端部両方に、前記記録要素に記録電流を通電するために必要な制御系列端子、および電源系列端子を配置する記録ヘッド基板であって、
前記基板の長辺方向端部両方に配置されている複数の記録素子に対し、前記制御系列端子、および電源系列端子の複数のうち少なくともひとつを前記基板の中央付近に配置していることを特徴とする記録ヘッド用基板。
【請求項２】
前記基板の中央付近に配置されている端子は、前記記録素子に記録電流を通電する電源系列端子であることを特徴とする、請求項１に記載の記録ヘッド用基板。
【請求項３】
複数の記録要素を同一基板上に有し、選択的に駆動可能な複数の記録要素に記録電流を通電することが可能な機能素子を具備する構成の記録ヘッド用基板であって、
前記基板の記録素子の配列される方向に相当する側(長辺)とそうでない側(短辺)を有し、
前記基板の短辺側端部両方に、前記記録要素に記録電流を通電するために必要な制御系列端子、および電源系列端子を配置する記録ヘッド基板であって、
前記基板の長辺方向中央部に配置されている複数の記録素子に対し、前記制御系列端子、および電源系列端子の複数のうち少なくとも一対を、前記基板の長辺端部両方に配置していることを特徴とする記録ヘッド用基板。
【請求項４】
前記基板の長辺端部両方に配置されている端子は、前記記録素子に記録電流を通電する電源系列端子であることを特徴とする、請求項３に記載の記録ヘッド用基板。
【請求項５】
複数の記録要素を同一基板上に有し、選択的に駆動可能な複数の記録要素に記録電流を通電することが可能な機能素子を具備する構成の記録ヘッド用基板に対し、前記基板の短辺側端部両方に、前記記録要素に記録電流を通電するために必要な制御系列端子、および電源系列端子をボンディング接続する記録ヘッドであって、
前記制御系列端子、および電源系列端子の複数のうち少なくともひとつを前記基板の中央付近にてボンディング接続していることを特徴とする記録ヘッド。
【請求項６】
前記基板の長辺方向端部両方に配置されている複数の記録素子に対応する、インク吐出のためのノズルが作成され、
前記ボンディング接続された配線基板に設けられた開口部が、前記インク吐出のためのノズルが配置されている部分に対応していることを特徴とする請求項５に記載の記録ヘッド。
【請求項７】
前記ボンディング接続された配線基板上に、前記基板の長辺方向端部両方に配置されている複数の記録素子に対応する、インク吐出のためのノズルが作成されていることを特徴とする請求項５に記載の記録ヘッド。
【請求項８】
複数の記録要素を同一基板上に有し、選択的に駆動可能な複数の記録要素に記録電流を通電することが可能な機能素子を具備する構成の記録ヘッド用基板に対し、前記基板の短辺側端部両方に、前記記録要素に記録電流を通電するために必要な制御系列端子、および電源系列端子をボンディング接続する記録ヘッドであって、
前記制御系列端子、および電源系列端子の複数のうち少なくともひとつを前記基板の長辺端部両方にてボンディング接続していることを特徴とする記録ヘッド。
【請求項９】
前記基板の長辺方向中央部に配置されている複数の記録素子に対応する、インク吐出のためのノズルが作成され、
前記ボンディング接続された配線基板に設けられた開口部と、前記インク吐出のためのノズルが配置されている部分に対応していることを特徴とする請求項８に記載の記録ヘッド。
【請求項１０】
前記ボンディング接続された配線基板上に、前記基板の長辺方向中央部に配置されている複数の記録素子に対応する、インク吐出のためのノズルが作成されていることを特徴とする請求項８に記載の記録ヘッド。
【請求項１１】
前記記録ヘッド用基板の複数を組み合わせ、ひとつの前記配線基板によってボンディング接続されていることを特徴とする請求項５乃至１０に記載の記録ヘッド。
【発明の詳細な説明】
【技術分野】
【０００１】
本発明は、選択的に通電可能な複数の記録要素を有する記録ヘッド用基板、もしくはこの記録ヘッド用基板を用いた記録ヘッドに関するものである。
【背景技術】
【０００２】
従来から、複数個の記録素子を一列に配列してなる記録ヘッドが種々知られている。この種の記録ヘッドは、記録素子Ｎ個を１ブロックとして同時駆動可能な駆動用集積回路を同一基板上に数個または数十個搭載し、画像データを各記録素子に対応させて整列させることにより、紙等の被記録材に任意の記録を行うことが可能である。これらの記録装置は、高密度で、高速記録が可能であるという点で現代のビジネスオフィスやその他の事務処理部門、さらにはパーソナルユースにおけるプリンタとして強く望まれている傍ら、更なるコストダウン、あるいは高精細化等の開発、改良が計られている。
【０００３】
その様な記録装置の中で、低騒音なノンインパクト記録としてインクを記録素子上に配置した吐出口から吐出させて記録を行うインクジェット記録装置は、その構造的な特徴から、高密度で、高速記録が可能であり、ローコストなカラープリンタ等の展開が計られている。インクジェット記録装置は、吐出口及びこの吐出口からインクを吐出するための吐出エネルギを発生する電気熱変換素子を記録素子として、複数個配列しこれらを記録ヘッドとした構成である。このような記録ヘッドでは、記録素子を駆動するための電力が大きなものになる等の理由で、記録素子を複数のブロックに分割し、ブロック毎に順次または分散駆動する方法が知られている。
【０００４】
分割、分散駆動に関し、ブロック毎に同時駆動される記録素子数は記録ヘッドの高精細化、長尺化にあわせて増大する。これに伴って記録電流通電のための印加エネルギが大きくなるのは言うまでもない。分割駆動数を増やして印加エネルギ増大を軽減する方法はあるが、印字高速化のため、同時分割駆動数はある程度制約される。この場合は印字率が高いほど各ブロックに記録電流が集中し、配線抵抗に合わせて電圧降下分が大きくなる。同時分散駆動の場合は、同時に駆動するエリアが広範囲にわたるため、配線の長さによる電圧降下が大きくなる。
【０００５】
以上のような問題に関して、従来の記録ヘッドは、図○○のような構成の基板を用いて対応している。すなわち、記録素子列方向の寸法が大きくなればなるほど、記録電流通電のための共通導電体長さが大きくなり、配線抵抗が増大する。これを軽減するために、記録素子列側と反対の辺に、複数の共通導電体との接続端子を設ける方法である。基板上の配線に対し、TAB方式等の接続をした配線基板上には、十分な面積の共通導電体を敷設できる。この導電体に接続する端子を複数設けることで、配線抵抗による電圧降下レベルを軽減できるものである。
【０００６】
従来の記録ヘッドは、記録素子列を基板のどちらか一方の辺に配置することが多かった。サーマルヘッドにおいては、熱昇華させるインクシートや記録媒体の相当する感熱紙をこの辺に当接させるため、端子接続されている辺を記録媒体等に当接させることは難しい。一方インクジェットヘッドは、ノズルを構成するプレート部分が直接記録媒体に接触しないものの、記録素子を発熱させてインクを発泡させ、記録素子列と直交する方向にインク吐出するので(所謂エッジシューター方式)、反対側の辺に記録素子列設ける構成は必然的ではない。圧力室を有するインクジェットヘッドの場合であっても、エッジシューター方式のものに関しては同様のことが言える。
【０００７】
ところが高精細なヘッドを構成するに当たって、正確な着弾精度と小液滴インクを吐出できる構成が必要になる。この形態をインクジェットヘッドで構成するには、ノズルプレートを極力薄くし、かつアライメント精度を高くする必要がある。発熱素子とノズルの距離も極力小さくすることで、効率よく小液滴インクを吐出させることができる。この構成に適しているインクジェットヘッドの構成として、記録素子の鉛直方向にインクを吐出させる(所謂サイドシューター方式)ものがある。圧力室を有するインク吐出方法でも、この構成が実現できる。この方式の特徴的なところは、二次元平面状にノズル列を比較的自由に配置できることがあげられる。例えば基板の両側に記録素子列を配置することも、基板中央付近に共通液室を中心に対向させて配置することも可能である。また、これらの配置を千鳥配置にすることで、更なる高解像度を得ることも可能である。サイドシューター方式は、今後の高精細プリンタ用記録ヘッドとして重要な構成であることは言うまでもない。これらの記録ヘッド用基板は、記録ヘッドのノズル列配置方向の辺(長辺)に対し、短辺側の両方にTAB方式等で端子接続される配線基板との接続パッドを配置しているものが多い。
【０００８】
従来例としては、例えば特許文献１から特許文献９をあげることが出来る。
【特許文献１】米国特許第４７２３１２９号明細書
【特許文献２】米国特許第４７４０７９６号明細書
【特許文献３】米国特許第４４６３３５９号明細書
【特許文献４】米国特許第４３４５２６２号明細書
【特許文献５】米国特許第４３１３１２４号明細書
【特許文献６】米国特許第４５５８３３３号明細書
【特許文献７】国特許第４４５９６００号明細書
【特許文献８】特開昭５９−１２３６７０号公報
【特許文献９】特開昭５９−１３８４６１号公報
【発明の開示】
【発明が解決しようとする課題】
【０００９】
しかしながら、上記のような従来例の記録ヘッド用基板および記録ヘッドの構成で、高精細化、長尺化する場合、長辺方向への基板寸法が増大する。特に1インチ以上の記録素子列を構成すると、前述の同時駆動する記録素子数との兼ね合いにより、長辺方向の記録素子列に通電する電源用の共通導電体の配線抵抗が増大する。つまり短辺側に接続されている電源端子だけでは十分な電源ライン配線ができないことを意味する。短辺側の端子数を増やすことも可能であるが、長辺方向中央部の記録素子に最も電圧降下を生じてしまうのは避けられなかった。
【００１０】
記録素子の最も電圧降下を起しやすい駆動ブロックに対して印加エネルギ補正を加える方法は既に公知ではあるが、当然のことながら補正のための回路分コストアップとなり、制御も煩雑化することになる。
【００１１】
従って、本発明の記録ヘッド及びその記録ヘッドを用いた記録装置は、上記の事情に鑑みてなされたものであり、その目的とするところは、記録ヘッド用基板および記録ヘッドの構成で、高精細化、長尺化する場合、記録素子列中央付近の記録電流通電導電体の配線抵抗増大による電圧降下を防ぐことである。記録ヘッドの記録素子列全てに対して、記録電流を均等に通電し、電圧降下対策のための補正回路追加によるコストアップなど低減し、かつ高機能な記録ヘッド及びその記録ヘッド基板を提供することである。
【課題を解決するための手段】
【００１２】
上述の課題である、記録ヘッド用基板および記録ヘッドの高精細化、長尺化による、記録素子列中央付近の電圧降下を防ぐ目的を達成するために、本発明の記録ヘッド及びその記録ヘッド用基板は以下の構成を備える。記録素子を駆動制御する際の共通制御端子や、電源系列端子の複数のうち、少なくともひとつを前記基板の中央付近に配置していることを特徴とする。
【００１３】
また、記録素子列を基板中央部に配列した形態の記録ヘッド用基板の場合は、記録素子を駆動制御する際の共通制御端子や、電源系列端子の複数のうち、少なくともひとつを前記基板の長辺端部両側に配置していることを特徴とする。
【００１４】
また、好ましくは、上記の特徴を備える記録ヘッド用基板と、TAB方式にて接続される配線基板の開口部が、記録素子配置エリアに対応している構成であることを特徴とする。
【００１５】
また、好ましくは、上記の特徴を備える記録ヘッド用基板と、TAB方式にて接続される配線基板上に、記録素子への通電作用により吐出するインクのノズルが構成されていることを特徴とする。
【００１６】
また、好ましくは、上記の特徴を備える記録ヘッド用基板の複数が、TAB方式にて接続されていることを特徴とする。
【００１７】
（作用）
上記のように、記録ヘッド及びその記録ヘッド用基板が構成されているので、記録ヘッド用基板内の記録電流通電導電体の配線抵抗を抑え、導電体の中央部付近における電圧降下を低減できる。また等間隔に複数箇所同様な接続端子を設けることにより、更に電圧降下を低減できる。電圧降下に起因するエネルギ補正のための制御回路を設ける必要もなく、接続基板側の開口部の工夫により、高機能、高精細、高速な記録ヘッドを提供することができる。このような記録ヘッド用基板の複数を、ひとつの接続基板に接続することで、ローコストなカラープリンタ等の実現が可能である。またこのような記録ヘッド内記録素子列をカラー分離させたり、カスケード接続、または複数個並列に配置することで、更なる高密度、高速印字可能な記録装置を提供することができる。
【発明の効果】
【００１８】
以上説明したように、本発明の記録ヘッド及びその記録ヘッド用基板が構成されているので、記録ヘッド用基板内の記録電流通電導電体の配線抵抗を抑え、導電体の中央部付近における電圧降下を低減できるという効果がある。また等間隔に複数箇所同様な接続端子を設けることにより、更に電圧降下を低減できる。電圧降下に起因するエネルギ補正のための制御回路を設ける必要もなく、接続基板側の開口部の工夫により、高機能、高精細、高速な記録ヘッドを提供することができるので、このような記録ヘッド用基板の複数を、ひとつの接続基板に接続することで、ローコストなカラープリンタ等を実現できる効果がある。
【００１９】
また、このような記録ヘッドの基本構成はそのままに記録素子数のみを拡張して、高密度、高速印字可能な記録ヘッドを提供することができ、ローコストなカラープリンタ等の実現が可能である。
【００２０】
またこのような記録ヘッド内記録素子列をカラー分離させたり、カスケード接続、または複数個並列に配置することにより、高密度、高速印字可能な記録装置を提供することができ、ローコストなカラープリンタ等の実現が可能である。本発明が上記の効果を呈する以上、記録ヘッド基板及び記録ヘッドやプリント装置の用途、及び解像度等に限定されるものではない。
【発明を実施するための最良の形態】
【００２１】
以下に本発明の実施例につき、添付の図面を参照して詳細に説明する。図１は、本発明に基づく第1の実施例である、記録ヘッド用基板の基本回路構成を示すブロック図である。この種の記録素子は基本的に一次元配列素子であり、図のように記録幅に相当するラインに渡って配列される。特に今後の記録ヘッドの高精細化、長尺化に伴い、記録素子の配置は、記録ヘッド用基板の長辺両端部にわたるものが構成されてくる。図１は、そのような記録ヘッドに最適な構成である。連続配列された記録素子を駆動するドライバが、長辺両端部に対応して、その内側に配置される。これも記録素子に相当する数だけ配置されている。図ではトランジスタの回路記号を使っているが、ＦＥＴ等の記録素子への通電状態を制御する機能素子であればなんでもよい。記録素子に通電する条件を決めるためのENB回路が、更にその内側に、記録素子毎に対応して配置される。この実施例回路では、通電パルス幅信号、ブロック駆動信号、画像データに対応した信号が一致した時に、対応した記録素子に通電する構成となっている。制御回路が若干特殊なものであるが、従来の駆動制御回路においても同様の効果を得られるのはいうまでもない。記録ヘッド用基板の長辺両端部の記録素子に対し、選択的に記録電流を通電するための制御回路部が、短辺側に配置される。本実施例回路においては、共通のデータバスに入力された駆動ブロック選択データ、及び画像データをコード化したデータ入力する多段のシフトレジスタ回路と、それに対応したデータを保持するラッチ回路を具備する。この回路ブロックは、１ラインデータに相当する駆動ブロックデータ、及びコード化された画像データは、ブロック毎にそのデータを更新可能なシフトレジスタとして機能する。短辺側のもう一方には、記録エネルギに変換する駆動信号が入力される。この入力信号は奇数及び偶数素子列に割り当てており（OHE1N／EHE1N）、更に記録素子列毎に別入力されている（OHE1N、EHE1N／OHE2N、EHE2N）。例えば、記録素子列毎に違う記録エネルギが必要な場合、それぞれ別のエネルギ量を入力できる。記録素子が熱変換素子のような場合、パルス幅を変えて入力することで、記録濃度やドット形状を変換できるものである。更に、奇数、偶数のパルス幅をプレ及びメインに分けて駆動することも可能である特殊な構成になっている。記録素子に前記パルス幅に合わせて記録電流を通電する、共通の電源ラインをVH、その記録電流が個別に記録素子に流れ、ドライバを通過して接地導電体ラインGNDHに帰着する。従来の記録ヘッド用基板はこのVH、GNDH端子が短辺側両端にしか配置されておらず、中央付近の記録素子までの配線抵抗が徐々に増大する結果となった。図１に示した通り、中央付近にVH、GNDH端子を配置することにより、この端子に近い記録素子への配線抵抗が低減できる。この結果、中央部付近に生じた電圧降下を抑えることが可能となる。
【００２２】
図２は、図１に示した記録ヘッド用基板に対してTAB方式等で接続される、接続基板（フレキシブル基板）の構成を示したものである。点線で示される領域は、記録ヘッド用基板を示す。記録ヘッド用基板には複数のボンディング端子が設けられている。本発明で最も特徴的なボンディング端子が、中央部の開口部に露出したリード部によって接続される構成となる。接続基板の記録ヘッド用基板の接続端子に対応した配線は、一方に整列して配置される。TAB形態のチップ接続でいえば、この端子はアウターリード部に相当する。この接続基板の端子は個別パッド状に配置され、直接プリンタ装置のキャリッジとコンタクトされてもよい。中央に位置するリード部に合わせて配線された共通電源ラインVHと、共通接地導電体GNDHを中央部まで延長させ、夫々のリードを残した形で開口部を設ける。従来同様、短辺部においてもボンディング端子用リードは形成されている。これらの直接ボンディングされる端子は所謂インナーリード部に相当する。接続基板の導電体面積は、記録ヘッド用基板の導電体面積に比べ大きいため、接続基板上における導電体配線の敷設の工夫により、配線抵抗を低減できるのはいうまでもない。
【００２３】
図３（a）は、本発明の最も特徴的なボンディング端子の断面を示す模式的構造図である。図２の構成を展開し、リード部の配置を縦に並べた形態で説明する。断面図において１の濃く示された部分は、接続基板のベースとなるフィルム、２は記録ヘッド用基板を示す。図のようにベースフィルムの下側に３の導電体パターンが形成され、ボンディング部に相当するインナーリード部5を取り囲むように４で示す開口部を更に形成する。２の記録ヘッド用基板には、両側から供給されるインクを導入する液室7を備えており、これらの空間は、ノズル壁８によって形成される。ノズル壁８の材料は無機有機材料を問わない。図３（ｂ）で、９は２の記録ヘッド用基板上に配置されるボンディング用端子である。５のリード部とのアライメント後、ボンディング装置によって接続される。この開口部は、その後の工程で樹脂等による封止がされることが望ましい。図３（a）の場合、１の接続基板のベースフィルムに、インク吐出口６が作成されていることが特徴である。この微細加工は、レーザー等によるものが一般的である。１と２の接続は、インク吐出口６と、記録ヘッド用基板２上に対応して配置された記録素子との高精度アライメントが重要である。
【００２４】
図４は、図３（a）の構成から更に高精細なインクジェット記録ヘッドを作成するために展開したものである。基本的な記録ヘッド用基板２の構成は同様であるが、インク吐出口6を構成するオリフィスプレート１０を、接続基板のベースとなるフィルムとは別に構成する方法である。接続基板のベースフィルムは薄いもので数１０μｍ、一般的には数百μｍ程度の厚さであるが、インク吐出口６から１〜数ｐｌ程度のインクを吐出させるためには、１０μｍ〜百数十μｍ程度の厚さにする必要がある。この場合、接続基板のベースフィルムとの共有は難しくなる。そのために、オリフィスプレート部１０を８のノズル壁に続いて、同様の無機もしくは有機材料で構成する方法が知られている。この部分が表面に露出するように接続基板１上に開口部を設ければ、図３（a）のような、記録ヘッド用基板２と接続基板１との高精度アライメントの必要性も無くなる。このように、電圧降下の少ない、小液滴インクを吐出可能な高精細記インクジェット記録ヘッドを、ローコストに作成できるのが本発明の構成の特徴である。
【００２５】
図示はしないが、２に示す記録ヘッド用基板上の中央付近の電圧降下だけを抑えるのではなく、等間隔に複数箇所同様な接続端子を設けることにより、更に電圧降下を低減できる。接続基板１にも同様の開口部を複数、もしくはボンディング端子の同列方向に連通する開口部を設けることで、上記の構成を達成する。この方法においては、記録ヘッド用基板の中央部に上記ボンディング用端子を複数設ける場合と、基板長辺端部両側にボンディング端子を複数設ける場合がある。何れの方法であっても、更に電圧降下を抑えられるので、記録ヘッドの構成に合わせて、適宜形態を選択できるものである。
【００２６】
更にこれらの記録ヘッド用基板を複数用いて、ひとつの接続基板に形成した複数の開口部にボンディングした記録ヘッドの例を図５に示す。１は接続基板で、２個以上のインクジェット記録ヘッド用基板を実装した例である。図５では２aの黒インクのみの吐出を行う記録ヘッド用基板と、２ｂのカラー（シアン、イエロー、マゼンタ）のみの吐出を行う記録ヘッド基板を用いた場合である。このような大きさの異なる記録ヘッド用基板を適宜選択して接続するのが可能な本構成は、記録ヘッド構成の自由度という点でも重要なものである。特に基板サイズの長辺方向が長い２aの記録ヘッド用基板は、本発明の構成において有効である。前述のボンディング構成の何れかを適用し、２aおよび２ｂを接続基板１と接続する。本構成の記録ヘッドは、接続基板１のアウターリード部を、プリント基板１１で構成したキャリッジとコンタクトする基板と接続してなる。以上説明した記録ヘッド用基板、接続基板、プリント基板からなる記録ヘッドユニットを枠体１２に固定することで、カラーインクジェット記録ヘッドが完成する。この枠体にはブラック、シアン、イエロー、マゼンタの計４色のインクタンクを供給できる。もちろんこの構成を発展させて、更に複数色のインクジェット記録ヘッドを構成することも可能である。
【００２７】
以上、本発明は、記録ヘッドの記録素子を駆動するものとしての記録ヘッド、特にインクジェット記録方式の例について説明してきた。その中でも、インク吐出を行わせるために利用されるエネルギとして熱エネルギーを発生する手段（例えば電気熱変換体やレーザー光等）を備え、前記熱エネルギによりインクの状態変化を生起させる方式の記録装置が高密度化、高精細化が達成しやすい。
【００２８】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。
【００２９】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。記録ヘッドの構成としては、上述の各明細書に開示されているような吐出口、インク液室、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。特に直角方向に吐出するサイドシューター方式は、本発明に最適な構成である。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００３０】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いてもよい。
【００３１】
また、本発明の記録ヘッドの周辺構成として設けられる、記録ヘッドに対しての回復手段、予備的な補助手段等を付加することは本発明の効果を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【００３２】
さらに、プリンタ装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。以上説明した本発明実施例においては、インクを液体として説明しているが、室温やそれ以下で固化するインクであっても、室温で軟化もしくは液化するものを用いても良く、あるいはインクジェット方式ではインク自体を３０°Ｃ以上７０°Ｃ以下の範囲内で温度調整を行ってインクの粘性を安定吐出範囲にあるように温度制御するものが一般的であるから、使用記録信号付与時にインクが液状をなすものであればよい。
【００３３】
加えて、積極的に熱エネルギーによる昇温をインクの固形状態から液体状態への状態変化のエネルギとして使用せしめることで積極的に防止するため、またはインクの蒸発を防止するため、放置状態で固化し加熱によって液化するインクを用いても良い。いずれにしても熱エネルギーの記録信号に応じた付与によってインクが液化し、液状インクが吐出されるものや、記録媒体に到達する時点では既に固化し始めるもの等のような、熱エネルギーの付与によって初めて液化する性質のインクを使用する場合も本発明は適用可能である。このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【００３４】
インクジェット記録ヘッド以外の適用はいうまでもない。サーマルヘッドのパルス幅制御や履歴制御にも、本発明の電圧降下を低減する手法は充分適用できるものである。LEDアレイタイプのヘッドであっても同様である。
【００３５】
さらに加えて、本発明に係る記録装置の形態としては、コンピュータ等の情報処理機器の画像出力端末として一体または別体に設けられるものの他、リーダ等と組み合わせた複写装置、さらには送受信機能を有するファクシミリ装置の形態を取るものであっても良い。また、メンテナンスフリーになり得るという点で、１ラインの記録幅に相当する記録素子と機能素子、及び駆動用集積回路を基板上に実装、または同一基板上表面内部に構造的に設けることにより、信頼性の高い、高密度、高速印字可能なフルライン記録装置を提供できるものである。これらの形態であっても、記録ヘッド用基板における電圧降下を低減できる本発明の構成は、回路構成を簡略化でき、接続端子数も低減できる。
【００３６】
尚、本発明は、複数の機器から構成されるシステムに適用しても１つの機器から成る装置に適用しても良い。また、本発明は、システム或は装置にプログラムを供給することによって達成される場合にも適用できることはいうまでもない。この手法により、プリンタ装置を汎用化できるという利点もある。
【図面の簡単な説明】
【００３７】
【図１】本発明を適用可能な記録ヘッド用基板の回路ブロック図
【図２】本発明を適用可能な記録ヘッドの構成図（配線図）
【図３】(ａ)は本発明を適用可能な記録ヘッドの断面図（第１例）(ｂ)は本発明を適用可能な記録ヘッドのボンディング部分構成図
【図４】本発明を適用可能な記録ヘッドの断面図（第２例）
【図５】本発明を適用可能な記録ヘッドの構成図（第３例）
【符号の説明】
【００３８】
１  接続基板（フレキシブル基板）
２  記録ヘッド用基板
２ａ  黒インク用記録ヘッド基板
２ｂ  カラーインク用記録ヘッド基板
３  導電体
４  ボンディング開口部
５  リード
６  インク吐出口
７  インク流路
８  ノズル壁
９  ボンディング端子
１０  オリフィスプレート
１１  プリント基板
１７２３、１２  枠体
【図１】
2007301937.tif 000003
【図２】
2007301937.tif 000004
【図３】
2007301937.tif 000005
【図４】
2007301937.tif 000006
【図５】
2007301937.tif 000007